(57)【要約】      （修正有）【課題】不規則に編んだものであってもヒゴの重なりが均一となることを実現し、ヒゴの使用量を従前のものに比べて少なくし、軽量化する収納用品を提供する。【解決手段】主要構造部に幅広ヒゴ２を使用し、その幅広ヒゴと幅広ヒゴの間に花結びを平面に連ねた装飾花３を配置し、その花結びを平面に連ねたものから延びている細い結合ヒゴ４(ｂ)で、幅広のヒゴを外側と内側から挟み固定する。そうすることにより、厚みが均一化できるようになり、その結果重さも従来のものに比べ軽く仕上げることができる。【選択図】図１
0003205590.tif 000002
【実用新案登録請求の範囲】
【請求項１】
山葡萄細工の籠等の収容用品の主要構造部となる部分に面の広い幅広ヒゴを使用する構造であって、幅広ヒゴと幅広ヒゴの間を、花結びを平面に連ねた装飾花を配置し、花結びを平面に連ねたものから延びている細い結合ヒゴで、主要構造となる幅広ヒゴの外側と内側から挟み固定することを特徴とする収容用品。
【考案の詳細な説明】
【技術分野】
【０００１】  本考案は樹皮を用いた編みバック等の収容用品に関するものである。
【背景技術】
【０００２】  つる植物である山葡萄等の樹皮で作られる籠等の収容用品は古くから利用されている。採取した樹皮は幅が不均一であり、使用する際には籠等の各部位により必要な巾に樹皮を切り裂いたもの（以下「ヒゴ」という。）が必要となる。編み方についてはいろいろとあるが、大別すると、規則的に編む方法と不規則に編む方法とに分かれている。規則的に編まれたものは一定の模様を表し、その厚みは均一に仕上がっている。一方不規則に編まれたものは、ヒゴが多く重なる部分と重ならない部分が偏在している。そのため、同じ大きさのものを作成した場合、不規則に編まれたものは規則的に編まれたものに比べるとヒゴの使用量が多いために重くなっている。
【先行技術文献】
【特許文献】
【０００３】
【特許文献１】  実開平０６−３４９０７号公報
【特許文献２】  実用新案登録第３１７５０２０号公報
【考案の概要】
【考案が解決しようとする課題】
【０００４】  従来の籠製品の編み方のなかで、不規則に編まれたものは、規則的に編まれた同じ大きさのものに比べると重くなっている。これは不規則に編まれたものの特徴として、ヒゴの重なりの多い部分と少ない部分の偏在を防ぐことができずに、使用するヒゴの量が多くなっているからである。不規則に編んだものであってもヒゴの重なりの多い部分と少ない部分をなくし、ヒゴの重なりが均一となることを実現し、ヒゴの使用量を従前のものに比べて少なくすることによって、軽量化しようとするものである。
【課題を解決するための手段】
【０００５】  本考案は、不規則に編む場合、ヒゴの重なりの多い部分と少ない部分の偏在からくる完成品の重量が重くなる欠点を改善するため、図６の厚さが一定の幅広ヒゴ２と、図７の細いヒゴ４（ａ）で六角の花形を均等な厚みで平面に編み連ねたもの（以下「装飾花３」という。）を使用する。装飾花３の花の数は必要な数だけ連ねるために、使用する際に大きさと形を決定する。
幅広ヒゴ２は幅の広い一枚の樹皮であり、装飾花３は均等な厚みで編まれていて、それぞれ均等の厚みのものを使用することから、ヒゴの重なる数の多いところと少ないところの偏在を防いでおり全体が均一化している。そして、幅広ヒゴ２と装飾花３の固定には、装飾花の作成に使用し装飾花３に編み込まずに延び出ている部分のヒゴ（以下「結合ヒゴ４（ｂ）」という。）を使う。装飾花３と結合ヒゴ４（ｂ）は一体のものである。【０００６】  まず、図６の幅広ヒゴ２を樹皮の表面を籠等の外側面に使用し、図８の樹皮の側面を籠の厚みの部分として図５のように幅広ヒゴ２同士の間隔が一方に偏らないよう木型５に配置する。この幅広ヒゴ２は籠の主要構造部を形成する。幅広ヒゴ２に囲まれた空間部分には図３の装飾花３をその空間が埋まるように装飾花３を形成する六角の花形の数を必要なだけ編み連ねて配置する。幅広ヒゴ２と装飾花３の固定には結合ヒゴ４（ｂ）を使用する。結合ヒゴ４（ｂ）で幅広ヒゴ２を外側と内側から緩みがないよう必要な箇所だけ挟み付けてお互いを固定する。
【考案の効果】
【０００７】上述の様に、山葡萄細工の籠等の収容用品の主要構造部に平たい幅広ヒゴ２を使用し、その幅広ヒゴ２同士の間の空間に均等な厚みで平面に編み連ねられている装飾花３で空間を埋めるように配置して使用していることにより、籠等全体の厚みの仕上がりが均一となる。その結果、不規則な編み方によるヒゴが多く重なる部分と少ない部分の偏在が改善され、籠の厚みの均一性が図られることにより、使用するヒゴの量が少なくなり、従前のものに比べより軽量化が実現する。
【図面の簡単な説明】
【０００８】
【図１】  本考案の山葡萄細工の本体１、幅広ヒゴ２、装飾花３及び結合ヒゴ４（ｂ）で作成した収容用品の実施例を示す完成品の正面図である。
【図２】  本考案の山葡萄細工の収容用品の実施例を示す完成品の側面図である。
【図３】  装飾花３及び結合ヒゴ４（ｂ）を正面から見た図面である。
【図４】  装飾花３及び結合ヒゴ４（ｂ）を側面から見た図面である。
【図５】  木型５に幅広ヒゴ２を配置した図面である。
【図６】  幅広ヒゴ２を正面から見た図面である。
【図７】  細ヒゴ４（ａ）を正面から見た図面である。
【図８】  幅広ヒゴ２及び幅広ヒゴ４（ａ）の側面図である。
【考案を実施するための形態】
【０００９】  以下、本考案の実施の形態を図１〜図８に基づいて説明する。
【００１０】  図１において、１は手提げ籠の全体であり、正面図である。図２は手提げ籠１の全体の側面図である。図３は六角に編み連ねた装飾花３及び結合ヒゴ４（ｂ）である。図４は装飾花３及び結合ヒゴ４（ｂ）の側面図である。図５は木箱５に幅広ヒゴ２を主要構造となる部分に組み込んだ図面である。図６は幅広ヒゴ２の正面図である。図７は細ヒゴ４（ａ）の正面図である。図８は幅広ヒゴ２と細ヒゴ４（ａ）の側面図である。
【００１１】  図５のように、完成品のもととなる籠の木型５に幅広ヒゴ２を一枚ずつ配置する。これにより幅広ヒゴ２は山葡萄細工の収容用品の主要構造部となり骨格を構成する。そのため、その配置は図５のように幅広ヒゴ２同士の間隔が一方に偏らないようする。収容用品の正面は襷状に配置し、側面は縦方向に配置している。
【００１２】  主要構造部に幅広ヒゴ２を配置した時点では、幅広ヒゴ２相互の間に大きな空間が生じている。その空間には図３の装飾花３を配置し空間を埋める。このとき空間を埋めるだけの広さの装飾花３が必要となるために、六角に編まれた花の数をその部分に必要なだけ編み連ねて配置する。
【００１３】  幅広ヒゴ２と装飾花３を固定する方法は結合ヒゴ４（ｂ）を使用する。結合ヒゴ４（ｂ）で幅広ヒゴ２を外側と内側から緩みがないよう必要な数だけ挟み付けお互いを固定する。幅広ヒゴ２を挟む際ヒゴの重なりの偏りがないよう直線的に又は曲線的に結合用ヒゴ４（ｂ）を使う。
【００１４】  平面的な幅広ヒゴ２と平面に編み連ねられた装飾花３を使用し、結合ヒゴ４（ｂ）で幅広ヒゴを挟みながら作成されることによって、不規則な編み方による厚みの著しい不均一を改善することができる。
【００１５】  上述のように、使用するヒゴの重なりが多い部分と少ない部分の偏在を防ぎ、厚みを均一化することができることにより、使用するヒゴを従前のものに比べて少なくすることができ、不規則な編み方の欠点であった重さを軽量化することができる。
【符号の説明】
【００１６】  １  手提げ籠
２  幅広ヒゴ
３  装飾花
４（ａ）  細ヒゴ
４（ｂ）  結合ヒゴ
５  木型
【図１】
0003205590.tif 000003
【図２】
0003205590.tif 000004
【図３】
0003205590.tif 000005
【図４】
0003205590.tif 000006
【図５】
0003205590.tif 000007
【図６】
0003205590.tif 000008
【図７】
0003205590.tif 000009
【図８】
0003205590.tif 000010